(57)【要約】【課題】防犯サムターンの効果の向上を得ること。【構成】サムターン摘みを摘みながら回転操作すると、ダルマが施錠及び解錠方向へそれぞれ回転する錠前に於いて、回転軸部材は、サムターン摘み側の第１回転軸と、この第１回転軸の先端部とその後端部が摺接するダルマ側の第２回転軸とから成り、またサムターン摘みを二枚の摘み羽に構成してこれらの基端部を第１回転軸の外端部にそれぞれ軸支し、これらの二枚の摘み羽は、展開状態の時、各内面に形成したロック用被係合部が前記固定筒の外端面に形成したロック用係合部に係合し、一方、二枚の摘み羽を折り畳むように指で摘んで回転操作する時は、ロック用被係合部が前記ロック用係合部から離れ、かつ第１回転軸が付勢手段の復帰力或いは磁性体の吸着力に抗して第２回転軸の後端から離れることを条件として、回転操作可能な状態に成る錠前。【選択図】図１
2011179268.tif 000002
【特許請求の範囲】
【請求項１】
扉の内壁面側に設けられたサムターン装置を構成する固定筒と、この固定筒の軸孔に嵌挿され、かつ内端部がダルマに係合する回転軸部材と、この回転軸部材の外端部に設けられたサムターン摘みとを備え、前記サムターン摘みを摘みながら回転操作すると、前記ダルマが施錠及び解錠方向へそれぞれ回転する錠前に於いて、前記回転軸部材は、サムターン摘み側の第１回転軸と、この第１回転軸の先端部とその後端部が摺接するダルマ側の第２回転軸とから成り、また、前記サムターン摘みを二枚の摘み羽に構成してこれらの基端部を前記第１回転軸の外端部にそれぞれ軸支し、これらの二枚の摘み羽は、展開状態の時、各内面に形成したロック用被係合部が前記固定筒の外端面に形成したロック用係合部に係合し、一方、二枚の摘み羽を折り畳むように指で摘んで回転操作する時は、前記ロック用被係合部が前記ロック用係合部から離れ、かつ、前記第１回転軸が付勢手段の復帰力或いは磁性体の吸着力に抗して前記第２回転軸の後端から離れることを条件として、回転操作可能な状態に成ることを特徴とする錠前。
【請求項２】
請求項１に於いて、回転操作可能な状態に成る条件は、二枚の摘み羽を閉じた状態で操作者の手前に若干引くことであることを特徴とする錠前。
【請求項３】
請求項１に於いて、回転操作可能な状態に成る条件は、二枚の摘み羽の基端部にそれぞれ突設した突起が固定筒の外端面を押し付けることであることを特徴とする錠前。
【請求項４】
請求項１に於いて、扉の外壁面側にシリンダ錠が設けられ、室外側からサムターン装置のロック用係合部とロック用被係合との係合状態を解く場合には、前記シリンダ錠の鍵穴に合鍵を差し込んで該ダルマを解錠方向へ回転操作し、第２回転軸の後端と第１回転軸の先端のとの摺接を介して該第１回転軸を第２回転軸から離れる方向へと位置変位させることを特徴とする錠前。
【発明の詳細な説明】
【技術分野】
【０００１】
本発明は、マンションや一戸建て住宅の玄関先などのドアに設置される錠前に関し、特に、サムターン装置が防犯効果を有する錠前に関する。
【背景技術】
【０００２】
特許文献１には、サムターン摘みの円形回転板の一部に、例えば扇形状の切欠部分を形成し、該切欠部分のＬ字形状切欠端面に係合する突起状係止部を、前記円形回転板の裏面に摺接する固定筒の外端面に設けた防犯サムターン装置が開示されている。この特許文献１に記載の防犯サムターン装置も、本発明の実施例の如く、「サムターン摘みを操作部の回転中心線方向への移動を条件」として、該操作部が回転可能な状態になるものである。
【０００３】
しなしながら、この特許文献１のサムターン摘みは、普通一般のサムターン摘みと同様に「一枚もの」なので、いわゆる「サムターン回し」をより確実に防ぐためには、もっと工夫をする必要がある。
【先行技術文献】
【特許文献】
【０００４】
【特許文献１】特開２００４−６８５８０号公報
【発明の概要】
【発明が解決しようとする課題】
【０００５】
本発明の所期の目的は、侵入者が外部からの針金等を用いた不正な解錠行為をした場合、サムターン摘みが容易に回転しないこと（防犯サムターンの効果の向上を得ること）である。第２の目的は、使い勝手が良好であること（操作性の良好性）である。第３の目的は、防犯サムターンにしても、室外からシリンダ錠に合鍵を差し込み、錠前を解錠することができること（実施可能性）である。
【課題を解決するための手段】
【０００６】
本発明の錠前は、扉の内壁面側に設けられたサムターン装置を構成する固定筒と、この固定筒の軸孔に嵌挿され、かつ内端部がダルマに係合する回転軸部材と、この回転軸部材の外端部に設けられたサムターン摘みとを備え、前記サムターン摘みを摘みながら回転操作すると、前記ダルマが施錠及び解錠方向へそれぞれ回転する錠前に於いて、前記回転軸部材は、サムターン摘み側の第１回転軸と、この第１回転軸の先端部とその後端部が摺接するダルマ側の第２回転軸とから成り、また、前記サムターン摘みを二枚の摘み羽に構成してこれらの基端部を前記第１回転軸の外端部にそれぞれ軸支し、これらの二枚の摘み羽は、展開状態の時、各内面に形成したロック用被係合部が前記固定筒の外端面に形成したロック用係合部に係合し、一方、二枚の摘み羽を折り畳むように指で摘んで回転操作する時は、前記ロック用被係合部が前記ロック用係合部から離れ、かつ、前記第１回転軸が付勢手段の復帰力或いは磁性体の吸着力に抗して前記第２回転軸の後端から離れることを条件として、回転操作可能な状態に成ることを特徴とする。
【発明の効果】
【０００７】
（ａ）侵入者が外部から不正な解錠行為をした場合、サムターン摘みが容易に回転しない。付言すると、二枚の摘み羽は、いわば蝶の如く羽根を開いてサムターン装置の固定筒に係合しているので、外部からの針金等を用いた不正解錠行為に対して、サムターン摘みを自由に回転させないようにすることができる。それ故に、防犯サムターンの効果を十分に得ることができる。また、羽根を開いた展開状態から羽根を閉じた操作状態にして回転操作するので、使い勝手が良好である。
（ｂ）請求項２及び請求項３記載の発明は、サムターン摘みを二枚の摘み羽に構成しても、摘み羽のロック用被係合部が固定筒のロック用係合部から所要量離れるので、二枚の摘み羽を摘んだまま確実に回転操作することができる。
（ｃ）請求項４に記載の発明は、室外からシリンダ錠に合鍵を差し込み、タルマを解錠方向へと回すと、二枚の摘み羽が展開状態のままであっても、第１回転軸が付勢手段の復帰力或いは磁性体の吸着力に抗して第２回転軸の後端から離れるので、合鍵を回すことができる。
【図面の簡単な説明】
【０００８】
図１乃至図１１は本発明の一例を示す各説明図。
【図１】全体の実施環境を示す概略断面説明図。
【図２】扉の内壁面側から見たサムターン装置の斜視図（摘み羽が展開状態）。
【図３】要部を分離して、室内側から見た斜視図（固定筒と展開状態の摘み羽）。
【図４】要部（展開状態の摘み羽の内面視）の説明図。
【図５】要部（摘み羽、軸、回転軸部材）の分解斜視図。
【図６】要部（第２回転軸、固定筒）の分解斜視図。
【図７】要部（摘み羽を折り畳むように指で摘んで回転操作する時）の説明図。
【図８】回転操作時の斜視図。
【図９】室内側から摘み羽を回転操作した説明図。
【図１０】室外側から合鍵を回転操作した説明図。
【図１１】第１回転軸と第２回転軸との縁部の摺接状態を示す説明図。
【図１２】要部（第１回転軸用の付勢手段）の他の説明図。
【発明を実施するための最良の形態】
【０００９】
以下、図１乃至図１１に示す一実施例により本発明を詳細に説明する。
【００１０】
（１）環境部材
まず、図１を参照にして、本発明の環境部材を説明する。１は玄関扉、室内のトイレ扉などのように水平方向に回転する開閉体である。１ａは扉の内壁面、１ｂはその外壁面である。周知のように、扉１の自由端部の切欠部内には錠箱２が固定的に組み込まれ、その不番のフロントからはデッドボルトが出没する。錠箱２内には施・解錠機構を構成するダルマ３が設けられている。周知のように、ダルマ３は、扉の外壁面１ｂに設けられたシリンダ錠４によって機械的に、又はケース内に配設された図示しない電動モータによって電気的に回転する。付言すると、ダルマ３は、例えば合鍵Ｋをシリンダ錠４の鍵穴に差込み、施錠又は解錠方向へ回転する。そして、ダルマ３が回転すると、その駆動腕により、デッドボルト５がフロントから突出し（施錠状態）、又は引っ込む（解錠状態）。なお、ダルマ３は、錠箱２に一体成形された軸受け、又は錠箱２に組み付けられた一組の軸受けを介して回転可能に支持されている。
【００１１】
（２）サムターン装置６
次に、各図を参照にして、主要部のサムターン装置６について説明する。例えば図１及び図２を参照にすると、サムターン装置６は、扉１の内壁面１ａ側に設けられた固定筒７と、この固定筒７の軸孔に嵌挿され、かつ内端部がダルマ３に係合する回転軸部材８と、この回転軸部材８の外端部に設けられたサムターン摘み９とを備えている。したがって、本発明の錠前Ｘも、周知の錠前と同様に、前記サムターン摘み９を摘みながら所定方向へ回転操作すると、前記ダルマ３が施錠及び解錠方向へそれぞれ回転する。
【００１２】
図２では固定筒７が扉１の内壁面１ａに固定され、手前側に見えるサムターン摘み９は、例えば二枚の摘み羽１０，１１で構成され、かつ、展開状態になって固定筒７のロック用係合部に係合している。そして、回転軸部材８の外端部が展開状態の二枚の摘み羽１０，１１の中心部に位置している。また、図２では展開状態の二枚の摘み羽１０，１１の基端部１０ａ、１１ａを軸支している一対の支軸は見えないが、各摘み羽１０，１１の基端部１０ａ、１１ａは、例えば図５で示す一対の支軸１２，１２を介して回転自在に軸支されている。
【００１３】
（３）主要部
本発明の主要部（特徴事項）である。サムターン装置６の回転軸部材８は、サムターン摘み側の第１回転軸１８と、この第１回転軸の先端とその後端が摺接するダルマ側の第２回転軸１９とから成る点、また、サムターン摘み９を二枚の摘み羽１０、１１に構成し、これらの基端部１０ａ、１１ａを前記第１回転軸１８の外端部にそれぞれ軸支し、これらの二枚の摘み羽１０、１１は、例えば１８０度に開いた（展開状態）の時、各内面に形成したロック用被係合部（例えば凹部）１３、１３がサムターン装置６の固定筒７の外端面７ａに形成したロック用係合部（例えば凸部）１４、１４に係合し、一方、二枚の摘み羽１０、１１を折り畳むように指で摘んで回転操作する時は、前記ロック用被係合部１３、１３が前記ロック用係合部１４、１４から同時に離れ、かつ、前記第１回転軸１８が付勢手段（他の実施例）の復帰力或いは磁性体（本実施例）の吸着力に抗して、前記第２回転軸１９の後端から離れることを条件として、回転操作可能な状態に成る点である。
【００１４】
上記構成に於いて、サムターン摘み９が回転操作可能な状態に成る条件は、例えば二枚の摘み羽１０、１１の基端部１０ａ、１１ａにそれぞれ突設した突起１５、１５が固定筒７の外端面７ａを押し付けることである（本実施例）。又は、二枚の摘み羽１０、１１が前記突起１５、１５を有しない場合（図示しない実施例）は、二枚の摘み羽１０、１１を閉じた状態で操作者の手前に若干引くことである。
【００１５】
さらに、室外側からサムターン装置６のロック用係合部１４とロック用被係合１３との係合状態を解く場合には、シリンダ錠４の鍵穴に合鍵Ｋを差し込んで、ダルマ３を解錠方向へ回転操作する。そうすると、回転軸部材８を構成する第２回転軸１９の後端と第１回転軸１８の先端の各係合縁部１８ａ、１９ａとの摺接を介して、該第１回転軸１８を第２回転軸１９から離れる方向へと位置変位させる。
【００１６】
（４）要部―固定筒７
図６を参照にして、固定筒７の構成を説明する。前述したように、７ａは外端面で、この外端面の中央部から裏側の内端面７ｂの中央部まで、一連の軸孔２１が形成されている。１４は、軸２１を中心にして、前記外端面７ａに放射状に突出形成されたロック用係合部である。これらのロック用係合部１４は、単数でも良いし、又は、その形状は、特に問わないが、例えば、半径方向に延びる棒状の突部が交差状に合計４個設けられている。
【００１７】
ところで、固定筒７は、後端部が扉の内壁面１ａに形成した図示しない開口を介して挿入され、かつ、複数の固着具２３でもって固定されるので、本実施例では、例えば、その周胴部の外周面７ｃに取付けフランジ部２４が設けられている。取付けフランジ部２４は、螺着でも良いし、又は、周胴部に一体形成される。なお、取付けフランジ部２４は、固着具２３用の複数の貫通孔２５を有している。
【００１８】
（５）要部―回転軸部材８
図５を参照にして回転軸部材８を説明する。サムターン摘み９側の第１回転軸１８は、不番の小径部分と大径部分とからなり、外端部に相当する短杆状の小径部分には、左右１対の小軸孔２６，２６が形成されている。これらの小軸孔２６，２６には、前述した二枚の摘み羽１０，１１の各基端部１０ａ，１１ｂをそれぞれ軸支する左右１対の支軸１２，１２が貫通状態に差し込まれる。
【００１９】
一方、長杆状の大径部分の先端部（図５では手前側の切欠状の端部）は、適宜に（例えば、下半分）切欠され、その先端は、半径方向の第１係合縁部１８ａを有している。第１回転軸１８は、矢印で示す方向、すなわち、ダルマ側の第２回転軸１９の切欠状後端部に対して離接する方向（軸方向）に所要量移動可能である。
【００２０】
前記ダルマ側の第２回転軸１９も第１回転軸１８と同様に不番の大径部分と小径部分とから成り、前記大径部分の後端部の後端には、第１回転軸１８の先端部の切欠に対応する切欠が形成され、該切欠の内、傾斜状の切欠辺の左右の縁部は、前述した第１係合縁部１８ａに対して、摺接する第２係合縁部１９ａとなっている。
【００２１】
一方、短杆状の小径部分は、非円形状に形成され、ダルマに形成された係合孔に形成する。ダルマ側の第２回転軸１９は、その位置でダルマと共に回転する。
【００２２】
本実施例では、第２回転軸１９と第１回転軸１８は、互いの極性に対応して吸着し合う磁性体である。もちろん、吸着し合う関係であれば、両方１８，１９は必ずしも磁性体で有る必要はないが、第１回転軸１８は、サムターン摘み９を構成する二枚の摘み羽１０，１１が軸外方向へ若干位置変位した場合には、その後、復元力が必要なので、例えば、第２回転軸１９と第２回転軸１８は、互いに吸着し合う構成にしている。
【００２３】
（６）要部―サムターン摘み９
図４及び図５を参照にして、サムターン摘み９を説明する。二枚の摘み羽１０，１１は、それぞれ支軸１２，１２を介して第１回転軸１８の外端部に軸支されていることから、室内側から見ると、いわば蝶の如く羽を開き（展開状態）、又は、羽を合わせるように閉じる（折り畳み状態）。
【００２４】
ここで、展開状態の図４を基準にして、二枚の摘み羽１０，１１の構成を説明する。便宜上、図面の上方に位置するのが、「第１摘み羽１０」、一方、下方に位置するのが、「第２摘み羽１１」とする。
【００２５】
図４で示すように、上方の第１摘み羽１０と下方の第２摘み羽１１は、回転対称である。そこで、共通する構成は、基端部１０ａ，１１ａにそれぞれＸ−Ｘ線方向（基端面と平行する方向）に、一方の突起１５を貫通しない不番の軸孔が所定長設けられている点、基端部１０ａ，１１ａの左右端部の内面に互いに対抗する切欠状のロック用被係合部１３，１３が設けられている点、基端部１０ａ，１１ａの中央部に第１回転軸１８の外端部に外嵌合する半円子弧状の切欠部１６，１６が形成されている点、内面９ｂの中央部に半径方向に縦長溝状のロック用被併合部１３，１３が形成されている点、さらに、前述した突起１５，１５用の受け入れ溝１７，１７が形成されている点である。
【００２６】
（７）作用
本実施例では、第１回転軸１８と第２回転軸１９は、互いに極性に対応して吸着し合う構成、並びに二枚の摘み羽１０、１１は互いに回転対称に構成されかつ各基端部１０ａ、１１ａの基端面からそれぞれ相手側の受け入れ溝１７，１７へと突出する小突起１５、１５を有している。
【００２７】
そこで、図９の（ａ）から同図（ｂ）で示すように、室内側から錠前Ｘを解錠する場合には、複数本の指ｆ、ｆでもって二枚の摘み羽１０、１１を操作する者の手前側に起こす。そうすると、二枚の摘み羽１０、１１の内面９ｂのロック用被係合部（例えば凹部）１３が固定筒７の外端面７ａから離れて係合状態が解かれる。この時、二枚の摘み羽１０、１１の基端部１０ａ、１１ａの各突起１５、１５は、バランス良く固定筒７の外端面７ａをそれぞれ押し付けるので、二枚の摘み羽１０、１１は、各突起１５、１５を介して、いわゆる「腕立て」の状態となり、図７で示すように各基端部１０ａ、１１ａの基端面を通るＹ−Ｙ線の位置が、固定筒７のロック用係合部（例えば凸部）の外面から離れる。この時、第１回転軸１８が磁性体の吸着力に抗して第２回転軸１９の後端から離れる。したがって、図９の（ｃ）で示すように、閉じた状態の二枚の摘み羽１０、１１をそのまま摘みながら所定角度回転操作することができる。
【００２８】
なお、室外側からサムターン装置６のロック用係合部１４とロック用被係合１３との係合状態を解く場合には、シリンダ錠４の鍵穴に合鍵Ｋを差し込んで、ダルマ３を解錠方向へ回転操作する。そうすると、回転軸部材８を構成する第２回転軸１９の後端と第１回転軸１８の先端の各係合縁部１８ａ、１９ａとの摺接を介して、該第１回転軸１８を第２回転軸１９から離れる方向へと位置変位させる。
【実施例】
【００２９】
本実施例では、二枚の摘み羽１０、１１を折り畳むように指で摘んで回転操作する時は、例えばサムターン摘み９側に設けたロック用被係合部１３が、例えば固定筒７側に設けた単数又は複数のロック用係合部１４から離れ、かつ、回転軸部材８を構成する第１回転軸１８が磁性体の吸着力に抗して互いに共働する第２回転軸１９の後端から離れることを条件として回転操作可能な状態に成る。しかしながら、この実施例のように磁性体の極性に限定するものではなく、例えば図１２で示すように、付勢手段３１を利用することもできる。第１回転軸８Ａは、その大径部分の外周面に設けたフランジ状バネ端支持部３２を有し、付勢手段３１によって常時、その切欠状先端部が第２回転軸１９の切欠状後端部に圧接ように付勢されている。したがって、サムターン摘み９を回転操作する時、二枚の摘み羽１０、１１は付勢手段の復帰力に抗して前記第２回転軸１９の後端から離れることを条件として、回転操作可能な状態に成る。
【００３０】
なお、本明細書及び図面では、扉の外壁面にシリンダ錠を設けた一例で説明をしているが、シリンダ錠は本発明の本質的事項ではない。その理由は、制御装置を備えた電気錠の場合には、スマートキー、送受信機能を有するリモコン、カード型キー等の解錠手段によって、解錠信号を前記制御装置に与え、該制御装置は、例えばドアの解錠信号を認識した後にダルマ３を電気的に解錠方向へと回すことができるからである。
【産業上の利用可能性】
【００３１】
本発明は、錠前や建具の分野で用いられる。
【符号の説明】
【００３２】
Ｘ…錠前、Ｋ…合鍵、
１…扉、１ａ…内壁面、１ｂ…外壁面、
２…錠箱、
３…ダルマ、
４…シリンダ錠、
５…デッドボルト、
６…サムターン装置、
７…固定筒、７ａ…外端面、
８…回転軸部材、
９…サムターン摘み、９ａ…外面、９ｂ…内面、
１０、１１…二枚の摘み羽、
１０ａ、１１ａ…基端部、
１２…支軸、
１３…ロック用被係合部（例えば凹部）、
１４…ロック用係合部（例えば凸部）、
１５…突起、
１６…切欠部、
１７…受け入れ溝、
１８…第１回転軸、
１８ａ…第１係合縁部、
１９…第２回転軸、
１９ａ…第２係合縁部、
３１…付勢手段。
３２…バネ端支持部。
【図１】
2011179268.tif 000003
【図２】
2011179268.tif 000004
【図３】
2011179268.tif 000005
【図４】
2011179268.tif 000006
【図５】
2011179268.tif 000007
【図６】
2011179268.tif 000008
【図７】
2011179268.tif 000009
【図８】
2011179268.tif 000010
【図９】
2011179268.tif 000011
【図１０】
2011179268.tif 000012
【図１１】
2011179268.tif 000013
【図１２】
2011179268.tif 000014